(57)【要約】【課題】携帯電話の信号を強化する方法及びその構造を提供する。【解決手段】  本発明の方法は、携帯電話無線伝送装置の信号を増強することに用い、該方法は、少なくとも１つの金属部材を利用し、非接触結合（gap coupled）の方式により携帯電話に接続し、該携帯電話上に設置するアンテナにその周波数応答を変化させ、前記少なくとも１つの金属部材は、一部の面積が必ず該携帯電話に重なり合う。本発明の構造は、携帯電話と結合でき、該構造は、該携帯電話を保護することに用い、該方法を利用し、該構造は、該携帯電話を安置することができる安置面及び該携帯電安置後に該携帯電話を覆うことができる側面から構成される本体と、該本体と結合する少なくとも１つの金属と、を含む。【選択図】図１
2014140144.tif 000002
【特許請求の範囲】
【請求項１】
無線伝送装置の信号を増強することに用いる携帯電話の信号を強化する方法であって、該方法は、少なくとも１つの金属部材を利用し、非接触結合（gap coupled）の方式により携帯電話に接続し、該携帯電話上に設置するアンテナにその周波数応答を変化させ、前記少なくとも１つの金属部材は、必ず一部の面積が該携帯電話に重ね合わさる携帯電話の信号を強化する方法。
【請求項２】
前記非接触式結合の方式は、前記少なくとも１つの金属部材を該携帯電話に直接接続するものである請求項１に記載の方法。
【請求項３】
前記非接触式結合の方式は、該携帯電話の携帯電話シェル上に前記少なくとも１つの金属部材を接続するものである請求項１に記載の方法。
【請求項４】
前記少なくとも１つの金属部材は、１つの任意形状の金属片である請求項１乃至３の何れか１項に記載の方法。
【請求項５】
携帯電話と結合することができる携帯電話の信号を強化する構造であって、該構造は、該携帯電話を保護することに用い、請求項１に記載の方法を利用し、該構造は、
該携帯電話を安置することができる安置面及び該携帯電話を安置後に該携帯電話を覆うことができる側面から構成される本体と、
該本体と結合する少なくとも１つの金属部材と、
を含む携帯電話の信号を強化する構造。
【請求項６】
更に、少なくとも１つのタブと、該本体は、少なくとも１つの溝を別途設置し、前記タブがそれぞれ第１面及び第２面を含み且つ前記金属片を設置し、該第１面が該携帯電話に向き合い、該第２面が該第１面と相反する位置に向き合い、前記タブが前記滑動溝の間で滑動し、該安置面に少なくとも１つの孔を設置し、該側面に少なくとも１つの側面孔を設置する請求項５に記載の構造。
【請求項７】
前記金属部材が前記タブの該第１面に設置される請求項６に記載の構造。
【請求項８】
前記金属部材が前記タブの該第２面に設置される請求項６に記載の構造。
【請求項９】
前記金属部材が前記タブの内部に設置される請求項６に記載の構造。
【請求項１０】
前記金属部材が任意形状の金属片である請求項５乃至８の何れか１項に記載の構造。
【発明の詳細な説明】
【技術分野】
【０００１】
本発明は、携帯電話の無線伝送装置の信号を増加する方法、及び該方法を応用して製造する構造である。
【背景技術】
【０００２】
携帯電話は、本来、遠距離通信に用いるが、現在の科学技術の急速な発達に伴い、携帯電話は、過去の遠距離通信専門に用いるという考え方を既に脱し、その機能及び用途は、益々広がり、そのうち、１項の従来の携帯電話との大きく異なる機能は、携帯電話を利用したウェブページブラウジングである。現在の携帯電話がインターネットブラウジングを得る方法は、無線ネットワーク又は携帯電話モバイルネットワークの２種の方式に他ならず、両者は、何れもアンテナを利用し、信号を受発信し、更に、携帯電話内部チップ演算処理信号を組み合わせる。また、携帯電話は、ブルートゥース伝送装置を経由し、データを伝送することに用いることができるので、アンテナ受信信号の能力は、ネットワーク速度及びブルートゥース保存データ伝送速度の速さを決定する要因の１つである。
【０００３】
また、市場では、携帯電話シェル形状に応じて成形された多くの携帯電話保護シェルが販売され、携帯電話保護シェルの材料及び外観設計は、アンテナ受信又は伝送信号の能力にも影響を及ぼすので、携帯電話を保護する機能及びアンテナ送受信能力の増加を兼ね備えることができる携帯電話保護シェルを発明することができれば、携帯電話の使用者に実に大きな恩恵をもたらすことになる。
【先行技術文献】
【特許文献】
【０００４】
【特許文献１】特開２００３−１６３６３２号公報
【発明の概要】
【発明が解決しようとする課題】
【０００５】
本発明の目的は、無線伝送装置の信号を増加する方法を提供することであり、そのうち、前記無線伝送装置は、携帯電話モバイルネットワーク装置、無線ネットワーク装置、ブルートゥース伝送装置及び通話装置を含む。また、該方法を利用した携帯電話保護シェル装置は、携帯電話使用者が携帯電話のインターネット時、アンテナの信号受信が良好でないことによりインターネット利用の気分を低減させることがなく、アンテナの受信能力を増加することにより、使用者により快適でより快速なインターネット利用をさせ、良好なブルートゥース伝送速度及び良好な通話品質を持たせることである。
【課題を解決するための手段】
【０００６】
本発明が含む構造の特徴は、携帯電話上に金属部材を接続するか、携帯電話保護シェルの平面に設置する往復滑動可能なタブを利用し、そのうち、タブに金属片を設置する。使用者が携帯電話のインターネット、ブルートゥース伝送及び通話を利用する時、信号が良好でないと感じる場合、タブを外へ向けて定点まで引き、アンテナの信号受信能力を増加させることができ、携帯電話の各種無線装置を使用上更に円滑にする。
【０００７】
本発明の技術特徴は、金属部材を利用し、非接触式の方式で携帯電話のアンテナと結合し、アンテナ及び金属片の間の距離が両者の間にコンデンサを直列するのと同一の効果を発生し、アンテナの信号受信周波数応答を変化させ、その信号受信性能を強化し、そのうち、距離を置いた設置が共振周波数を得ることができ、アンテナ及び金属部材の両者に境界結合(critically coupled)を達成させることができ、最適な伝送信号効果を得ることができる。本発明の金属部材は、携帯電話上に直接設置するか、もう１つの好適実施方式を経て、金属保護シェルをタブに設置し、タブが本体の滑動溝設計を介し、滑動移動することができるので、アンテナ及び金属片の距離を変化させ、上記両者の間の等価コンデンサの値を変化させることに用いることができる。
【０００８】
本発明の方法は、携帯電話無線装置の信号を増強することに用い、該方法は、少なくとも１つの金属部材を利用し、非接触結合（gap coupled）の方式により携帯電話に接続し、該携帯電話上に設置するアンテナにその周波数応答を変化させ、前記少なくとも１つの金属部材は、一部の面積を該携帯電話に重ね合わせる必要があるので、少なくとも１つの金属部材は、任意形状の金属片である。
【０００９】
理解すべき点として、非接触式結合の方式は、前記少なくとも１つの金属部材が該携帯電話又は該携帯電話に接続する携帯電話シェル上に前記少なくとも１つの金属部材を接続するものである。
【００１０】
本発明の構造は、携帯電話と結合でき、該構造は、該携帯電話を保護することに用い、上記方法を利用し、該構造は、該携帯電話を安置することができる安置面及び該携帯電安置後に該携帯電話を覆うことができる側面から構成される本体と、該本体と結合する少なくとも１つの金属と、を含む。
【００１１】
理解すべき点として、前記少なくとも１つの金属部材及び該本体が連結する方式は、直接該本体に接続するか、該構造が別途少なくとも１つのタブを含み、該本体が別途少なくとも１つの溝を設置し、前記タブがそれぞれ第１面及び第２面を含み、且つ前記金属部材を設置し、そのうち、前記金属部材が任意形状の金属片であることができ、該第１面が該携帯電話に向き合い、該第２面が該第１面と相反する位置に向き合い、そのうち、前記金属部材は、前記タブの該第１面又は第２面に設置するか、タブ内に設置することができ、前記タブが前記溝間を滑動し、該安置面に少なくとも１つの孔を設置し、該側面に少なくとも１つの側面孔を設置することができる。
【発明の効果】
【００１２】
本発明の方法は、任意の金属部材を任意の携帯電話に応用することができ、各種携帯電話に本発明を経由し、その無線伝送装置の信号を増加させることができる。
【００１３】
本発明の構造は、任意の携帯電話に応じて、該携帯電話の形状に合わせて該携帯電話と結合することに用いるよう成形することができ、それが含む滑動構造及びタブは、本発明の構造の任意の位置に設置することができ、該携帯電話に本発明を経由し、その無線伝送装置の信号を増加させることができる。
【図面の簡単な説明】
【００１４】
【図１】本発明の方法の論理流れ図である。
【図２Ａ】本発明の金属片を直接携帯電話と接続した立体説明図である。
【図２Ｂ】本発明の金属片を直接携帯電話と接続した立体説明図である。
【図２Ｃ】本発明の金属片を直接携帯電話と接続した立体説明図である。
【図２Ｄ】本発明の金属片を直接携帯電話と接続した立体説明図である。
【図３Ａ】本発明の金属片を携帯電話シェルに接続した立体説明図である。
【図３Ｂ】本発明の金属片を携帯電話シェルに接続した立体説明図である。
【図４】本発明を使用する前後で測定される各周波数下の電圧定在波比の曲線図である。
【発明を実施するための形態】
【００１５】
以下に図面及び部材符号を組み合わせ、本発明の実施方式に対し、詳細な説明を行い、当業者に本明細書を閲読後にこれに基づき、実施することができるようにさせる。
【００１６】
図１を参考にし、それは、如何に本発明を携帯電話上に応用し、その無線伝送装置の信号を増加させるかの論理流れ図を説明するものであり、本発明は、任意の形状の金属部材Ｌ１を利用し、任意の携帯電話Ｌ４の信号受信能力を増加させることができ、非接触結合（gap coupled）の方法Ｌ２を応用し、任意の携帯電話Ｌ４と直接接続するか、携帯電話シェルＬ３を経由し、任意の携帯電話Ｌ４と接続する。
【００１７】
そのうち、任意形状の金属部材Ｌ１を非接触式結合の方法Ｌ２により任意の携帯電話Ｌ４と直接接続する実施例は、図２Ａ〜図２Ｄを参考とする。図２Ａは、長矩形外観の金属片４が携帯電話３の正面３１右上方に設置されることを示し、図２Ｂは、長矩形外観の金属片４が携帯電話３の側面３３に設置されることを示し、図２Ｃは、Ｌ形外観の金属片４が携帯電話３の背面３２左下方に設置されることを示し、図２Ｄは、Ｌ形外観の金属片４が携帯電話３の側面３３に設置されることを示し、金属片４が携帯電話３に設置される方式は、これに限定するものではないが、接着剤により貼合であることができ、そのうち、金属片４は、携帯電話３と接続後、必ず一部の面積が携帯電話３と重なり合う。
【００１８】
理解すべき点として、図２Ａ〜図２Ｄが示す実施例は、金属片４が任意形状で携帯電話３の任意の位置に接続することができることを説明するものであり、本発明の実施例を上記４種の方法に限定に限定するものではなく、そのうち、携帯電話３は、各メーカーの携帯電話であることができ、材料がプラスチック、金属である携帯電話シェルを含み、何れも本発明に応用することができる。
【００１９】
そのうち、任意の形状の金属部材Ｌ１を非接触式結合の方法Ｌ２で携帯電話シェルＬ３を経由し、任意の携帯電話と接続する実施例は、金属片が上記携帯電話シェルと直接接続するか、図３Ａ及び図３Ｂの２つの実施例が示すタブに接続することを利用し、携帯電話シェルの滑動溝構造を合わせ、タブを携帯電話シェル上で往復滑動させ、アンテナ結合の周波数を調整することに用いる。
【００２０】
図３Ａを参考にし、携帯電話シェルの本体１は、携帯電話外観により成形され、携帯電話を安置する保護シェルを形成し、本体１の底部は、安置面１２であり、安置面１２周囲に巻き付き、成形する部位が側面１１である。
【００２１】
本体１の安置面１２上半部中間に矩形状孔を成形し、２つの孔側辺にスライドレール構造を成形する溝１２２を形成し、安置面１２に別途孔１２１を成形し、携帯電話シェルに携帯電話を結合し手使用した後、携帯電話のカメラレンズがブロックされないようにする。
【００２２】
本体１の側面１１に少なくとも一側面の孔１１１を成形し、空間を提供し、携帯電話シェルに携帯電話を結合して使用した後、使用者が待機ボタン、オーディオ制御キー等のボタンを押すことができ、イヤホン、充電器等の装置を挿入することができる。
【００２３】
注意すべき点として、前記孔１２１及び側面孔１１１は、携帯電話が含む装置、例えば、カメラレンズ、イヤホン孔及び充電器孔等に合わせて成形され、そのうち、携帯電話が上記装置等を有さない場合、本発明は、上記孔１２１及び側面孔１１１を有さない態様に成形することもできる。
【００２４】
タブ２は、滑動溝１２２の矩形状外観に応じて成形され、その側辺にスライドレール構造を組み合わせることができる設計を成形し、タブ２を溝１２２の間で滑動させることができ、タブ２の携帯電話を安置する位置に向き合う平面が第１面であり、第１面に相対する平面が第２面である。タブ２は、別途第１面に金属片２１を設置し、そのうち、設置の方式は、これに限定するものではないが、接着剤による貼合であることができる。
【００２５】
図３Ｂを参照し、携帯電話シェルの本体１は、携帯電話の外観により成形され、携帯電話を安置することができる保護シェルを成形し、本体１の底部が安置面１２であり、安置面１２の周囲を囲うように成形される部位が側面１１である。
【００２６】
本体は、安置面１２に孔１２１を成形し、携帯電話シェルを携帯電話に結合して使用させた後、携帯電話のカメラレンズがブロックされないようにする。
【００２７】
本体１は、側面１１右側下半部に矩形状孔を成形し、２つの孔側辺にスライドレール構造を成形する溝１１２を形成する。本体１の側面１１に別途少なくとも１つの側面孔１１１を成形し、空間を提供し、携帯電話シェルに携帯電話を結合して使用した後、使用者が待機ボタン、オーディオ制御キー等のボタンを押すことができ、イヤホン、充電器等の装置を挿入することができる。
【００２８】
タブ２は、滑動溝１１２の矩形状外観に応じて成形され、その側辺にスライドレール構造を組み合わせることができる設計を成形し、タブ２を滑動溝１１２間で滑動させることができ、タブ２の携帯電話を安置する位置に向き合う平面が第１面であり、第１面に相対する面が第２面である。タブ２は、別途第１面に金属片２１を設置し、そのうち、設置の方式は、これに限定するものではないが、接着剤による貼合であることができる。
【００２９】
理解すべき点として、図３Ａ、図３Ｂの２つの実施例は、滑動溝構造を、金属片を携帯電話シェル上に設置する実施方式として利用する時を説明するものであり、本発明の実施例を上記２種の方法に限定するものではない。そのうち、金属片は、滑動溝構造任意の形状に成形する、本体１上の任意の部分に設置することに限定せず、金属片２１は、タブ２の第１面に設置することに限定せず、第２面に設置することもでき、或いは、タブ２に溝を開設し、金属片２１を挿入後、別途金属片を覆い、融合させ、それをタブ内部に設置することに用いることができ、外部から見えないようにすることもできる。また、タブ２を滑動可能に設計することは、アンテナ周波数を結合し、最適な効果を達成させることに用い、従って、各異なる類型の携帯電話に応じて、タブ２が必ずしも滑動を必要とせず、タブ２の滑動を経由し、最適な効果を達成する必要がない状況において、金属片２１は、タブ２を経由せずに本体１中に直接設置することができる。
【００３０】
使用者が本発明の携帯電話シェルを結合した携帯電話を使用する時、携帯電話無線ネットワーク携帯電話モバイルネットワーク、ブルートゥース伝送装置及び通話装置の信号受信が良好でないと感じる場合、タブ２１を定点まで引き、タブ２１上の金属片を経由し、アンテナの周波数応答を変化させ、携帯電話無線装置の信号受信能力を増加し、そのうち、定点まで引くことは、各種異なるタイプの携帯電話の安定に応じて定め、タブ２１を引く必要がなく、最適な信号受信能力を達成することができる可能性もある。
【００３１】
理解すべきこととして、本発明に最適な性能を達成させるため、凹溝及びタブに携帯電話のアンテナ位置に合わせて成形される必要があり、最適な効果を発生させることに用いるが、前数段に記載するように、凹溝及ぶタブは、信号受信アンテナに合わせて成形されることに限定せず、両者を任意の位置に成型することもでき、同様に信号受信の効果を増加する。
【００３２】
電圧定在波比（VSWR）は、インピーダンス不整合の深刻度測定する指標単位であり、通常は、Ｘ対１として表示するか、又は直接Ｘで表示する。Ｘの値が小さくなるほど、１に近いことを表し、該システム内の全ての部材の抵抗値が何れも略同一であること、即ち、理想の状態により近いことを示す。本発明が信号受信性能を増加する効果を確実に有することを証明する為、本発明の出願人は、本発明の構造を採用していない携帯電話及び本発明の構造を採用した携帯電話のVSWR（図４参照）を実際に測定している。図４から分かるように、各種異なる周波数において、本発明使用前のアンテナのVSWRは、本発明使用後のVSWRより高く、例えば、周波数1600MHzにおいて、VSWRは、6から約2.3に低減され、周波数2000MHzにおいて、VSWRは、3から約1.9に低減されている。この図を介して本発明の性能を容易に分かることができる。
【００３３】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００３４】
１  本体
１１  側面
１１１  側面孔
１１２，１２２  滑動溝
１２  安置面
１２１  孔
２  タブ
２１  金属片
３  携帯電話
３１  正面
３２  背面
３３  側面
４  金属片
Ｌ１  任意形状の金属部材
Ｌ２  非接触式結合の方法
Ｌ３  携帯電話シェル
Ｌ４  任意の携帯電話
【図１】
2014140144.tif 000003
【図２Ａ】
2014140144.tif 000004
【図２Ｂ】
2014140144.tif 000005
【図２Ｃ】
2014140144.tif 000006
【図２Ｄ】
2014140144.tif 000007
【図３Ａ】
2014140144.tif 000008
【図３Ｂ】
2014140144.tif 000009
【図４】
2014140144.tif 000010